(57)【要約】【課題】十分な目隠し機能と遮光機能と通気性とを備え、ベランダの物干し等の機能も建物の景観も損なうことのないベランダ用ブラインドを提供する。【解決手段】二本の主支柱２と、主支柱２の最上部に取り付けられ上階のベランダの床底に突っ張る押圧アジャスタ４を有し主支柱２をベランダ１５の床と上階のベランダの床底１８との間に固定する副支柱３と、主支柱２の縦溝５に摺動可能に嵌入する複数の可動ナット５１に縦溝５の外側から係合する調整機構３０と、それぞれの調整機構３０に保持される合計８枚の羽７と、伸縮構成板６ａ、６ｂ、６ｃと、を有し、最上部の調整機構３０は主支柱２の最上部に固定され、最下部の調整機構３０は任意の位置に上下が可能であり、羽７は個別に羽支軸２４及び羽受２５と一体に短手方向に任意の傾斜角に回動できる。【選択図】図１
2015175223.tif 000002
【特許請求の範囲】
【請求項１】
断面が四角型の二本の主支柱と、
該主支柱の最上部に上下に伸縮自在に取り付けられ、上階のベランダの床底に当接して突っ張る押圧アジャスタを有し、前記主支柱をベランダの床と上階のベランダの床底との間に固定する副支柱と、
２本の前記主支柱のそれぞれ対向する側面に中心軸に沿って設けられた縦溝と、
該縦溝に摺動可能に嵌入する複数の可動ナットと、
該可動ナットに対し前記縦溝の外側から段付ボルトを介して一対をなし羽受けと伸縮構成板とを支持する調整機構支持部品と、
前記羽受けに羽支軸固定ボルトで両端部を固定された羽支軸と、
該羽支軸に羽固定ボルトで固定された羽と、
を有し、
前記伸縮構成板は、
前記主支柱の最上部に配置されて逆Ｖ字形を成す２枚の上部板と、前記主支柱の最下部に配置されてＶ字形を成す２枚の下部板と、前記主支柱の中間に複数配置されてＸ字形を成す２枚の中間板とで構成され、
前記上部板及び前記下部板は、逆Ｖ字形及びＶ字形の角部を成す端部を重ねてそれぞれ最上部及び最下部の前記調整機構支持部品に回動可能に支持され、
前記中間板は、Ｘ字形の交叉部を成す中央部を重ねてそれぞれ対応する中間の前記調整機構支持部品に回動可能に支持され、
前記逆Ｖ字形の端部と前記Ｘ字形の上端部、前記Ｘ字形の下端部と前記Ｘ字形の上端部、前記Ｘ字形の下端部と前記Ｖ字形の上端部をそれぞれ回動可能に連結され、
前記最上部の調整機構支持部品は前記主支柱の最上部にボルトで固定され、
前記最下部の調整機構支持部品は任意の位置でボルトで固定され、
前記羽は、前記羽支軸及び前記羽受けと一体に短手方向に任意の傾斜角を形成する、
ことを特徴とするベランダ用ブラインド。
【請求項２】
前記縦溝は、開口部の両側に縁部を有し、
前記可動ナットは、前記縁部の内面に当接するナット張出縁部と、前記両側の縁と縁の間に嵌入する支持部品係合部と、から成り、前記支持部品係合部にねじ孔を形成され、
前記調整機構支持部品は、前記可動ナットの前記ナット張出縁部と共に前記縦溝の両側の前記縁部を外面から挟み込む支持部品張出部と、前記両側の縁と縁の間に嵌入するナット係合部と、から成り、前記支持部品張出部と前記ナット係合部の中心に挿通孔を形成され、
前記段付ボルトは、最も大きい径の頭部と、頭部よりも小径の胴部と、胴部よりも小径の先端ねじ部から成り、前記先端ネジ部は前記挿通孔を貫通して前記ねじ孔に螺合し、前記胴部は前記羽受けと前記伸縮構成板とを回転自在に保持し、前記頭部は前記胴部に保持された前記羽受けと前記伸縮構成板とを、前記支持部品張出部に対し皿ばねとワッシャを介して押圧する、
ことを特徴とする請求項１記載のベランダ用ブラインド。
【請求項３】
２本の前記主支柱それぞれの最上部と最上部との間に差し渡された第１の横支軸と、
２本の前記主支柱それぞれの最下部と最下部との間に差し渡された第２の横支軸と、
前記最下部の調整機構支持部品よりも下方に在って前記第２の横支軸と並行する最下部可動軸と、
２本の前記主支柱それぞれの前記最下部可動軸と前記第２の横支軸との間の所定の位置に固定されたストッパ部材と、
を更に有し、
２本の前記主支柱は、前記第１の横支軸と前記第２の横支軸により２本の間隔を設定され、
前記最下部の調整機構支持部品は、下方に連続する少なくとも固定用ノブと、前記最下部可動軸の軸受けと、該軸受けを支持するブラケットと、該ブラケットの固定ボルトとの係合部を一体に備え、
前記ブラケットは、前記ストッパ部材に当接する位置を最下端部の位置とする、
ことを特徴とする請求項１記載のベランダ用ブラインド。
【請求項４】
前記羽は、総数を８枚、長さ１２００ｍｍ、幅２００ｍｍ、厚さ２ｍｍを標準とする、
ことを特徴とする請求項１記載のベランダ用ブラインド。
【請求項５】
前記最下部の調整機構支持部品を最上部まで移動させたとき、前記伸縮構成板の上下長は２１０ｍｍである、
ことを特徴とする請求項１、２又は３記載のベランダ用ブラインド。
【発明の詳細な説明】
【技術分野】
【０００１】
本発明は、ベランダの手摺壁よりも内側のベランダへの出入り口側に配置されて建物の外観を損なわず、目隠しや採光調整が容易で常に良好な通風性を維持できるベランダ用ブラインドに関する。
【背景技術】
【０００２】
従来、ベランダの目隠しまたは日除けのために、屋外用の目隠しや日除けとして、窓の外側に、広げて立てかけるよしずや、上から吊り下げるすだれ等が用いられている。屋内用としてはローラ式で上に巻き上げ又は下に巻き出す幕状のものや横方向に折りたたむ蛇腹式のカーテン等が用いられている。
【０００３】
とくに、多層階集合住宅の住人は、近接する建物から自らの居住空間が見えないようにまたは夏の強い日差の日除けもかねて、ベランダにブラインドを取り付ける場合が多い。一般的に、ブラインドはベランダに向く窓や出入り口の屋内側に取り付けられる。
【０００４】
たとえば、窓に設置されるもので横型プラインドは、窓枠上部の取付位置から下に向かって取付間隔の狭い複数の細長い羽が細かく配置された構造のものが良く知られている。ブラインドが不要のときは、最下段の羽を上昇させて下方の羽から束ねながら全体を上昇させて縮める。
【０００５】
ブラインドが必要なときは、上部の羽から等間隔で順次複数の羽を下方に垂らしていく。各羽の取付間隔は一定であり、羽の角度調整は、羽全体が連動して一律に同じ角度になる構造となっている。羽の取付間隔が狭いため、窓を開けて風を取り込もうとすると、ブラインドが風にあおられるなどして通気性は良くない。
【０００６】
また、水平方向の目隠しを行うときは、縦方向の隙間を隠すように羽の角度を大きく回転させた位置に調節するため、羽間の開口幅が狭くなり、通気性の更なる悪化とともに、採光が悪くなって室内が暗くなるという不便がある。
【０００７】
また、部分的に羽を取り外することができないから、窓やガラス戸の中間から下にかけて目隠ししたり遮光する場合、プラインドの取付場所を取り付け枠の中間に設置しなければならないから、見栄えが悪いだけでなく、ガラス戸の場合には出入りに不便をきたす。
【０００８】
このような不便を解消するために、例えば、束ねられた複数の羽根を可能な限り天井側に配置できて外部からの視界を妨げないで十分な採光を得ることができるブラインド装置が提案されている。（例えば、特許文献１参照。）
【０００９】
また、例えば、必要に応じてベランダを介する部屋内への太陽光を遮ることができる上に、遮光状態でも確実な通風を可能として、火災等においても逃げ場を塞ぐことがなく、ベランダ空間を狭くしないブラインド装置が提案されている。（例えば、特許文献２参照。）
【先行技術文献】
【特許文献】
【００１０】
【特許文献１】特開２００６−１３８１８２号公報
【特許文献２】特開２００３−１５５８８２号公報
【発明の概要】
【発明が解決しようとする課題】
【００１１】
しかしながら、特許文献１に記載の技術は、従来型の一連の羽を枠の縦方向中央から上下に分割して、それぞれ上の羽は上に束ね、下の羽は下に束ねるようにしたものであり、全面的な目隠しや日除けが必要になったときの羽の配置や動作は従来と何ら変わるところがない。
【００１２】
また、特許文献２に記載の技術は、ベランダの外壁に沿った手摺壁と上階のベランダの床下外端部との間に取り付けるものであって、外観からは建物の一部に見え、建物の景観を損なう構造である点に不満が残る。
【００１３】
本発明は、上記従来の課題を解決するものであって、十分な目隠し機能と遮光機能と通気性とを備え、ベランダの物干し等の機能も建物の景観も損なうことのないベランダ用ブラインドを提供することを目的とする。
【課題を解決するための手段】
【００１４】
上記課題を解決するために、本発明のベランダ用ブラインドは、断面が四角型の二本の主支柱と、該主支柱の最上部に上下に伸縮自在に取り付けられ、上階のベランダの床底に当接して突っ張る押圧アジャスタを有し、上記主支柱をベランダの床と上階のベランダの床底との間に固定する副支柱と、２本の上記主支柱のそれぞれ対向する側面に中心軸に沿って設けられた縦溝と、該縦溝に摺動可能に嵌入する複数の可動ナットと、該可動ナットに対し上記縦溝の外側から段付ボルトを介して一対をなし羽受けと伸縮構成板とを支持する調整機構支持部品と、上記羽受けに羽支軸固定ボルトで両端部を固定された羽支軸と、該羽支軸に羽固定ボルトで固定された羽と、を有し、上記伸縮構成板は、上記主支柱の最上部に配置されて逆Ｖ字形を成す２枚の上部板と、上記主支柱の最下部に配置されてＶ字形を成す２枚の下部板と、上記主支柱の中間に複数配置されてＸ字形を成す２枚の中間板とで構成され、上記上部板及び上記下部板は、逆Ｖ字形及びＶ字形の角部を成す端部を重ねてそれぞれ最上部及び最下部の上記調整機構支持部品に回動可能に支持され、上記中間板は、Ｘ字形の交叉部を成す中央部を重ねてそれぞれ対応する中間の上記調整機構支持部品に回動可能に支持され、上記逆Ｖ字形の端部と上記Ｘ字形の上端部、上記Ｘ字形の下端部と上記Ｘ字形の上端部、上記Ｘ字形の下端部と上記Ｖ字形の上端部をそれぞれ回動可能に連結され、上記最上部の調整機構支持部品は上記主支柱の最上部にボルトで固定され、上記最下部の調整機構支持部品は任意の位置でボルトで固定され、上記羽は、上記羽支軸及び上記羽受けと一体に短手方向に任意の傾斜角を形成する、ように構成される。
【００１５】
このベランダ用ブラインドにおいて、例えば、上記縦溝は、開口部の両側に縁部を有し、上記可動ナットは、上記縁部の内面に当接するナット張出縁部と、上記両側の縁と縁の間に嵌入する支持部品係合部と、から成り、上記支持部品係合部にねじ孔を形成され、上記調整機構支持部品は、上記可動ナットの上記ナット張出縁部と共に上記縦溝の両側の上記縁部を外面から挟み込む支持部品張出部と、上記両側の縁と縁の間に嵌入するナット係合部と、から成り、上記支持部品張出部と上記ナット係合部の中心に挿通孔を形成され、上記段付ボルトは、最も大きい径の頭部と、頭部よりも小径の胴部と、胴部よりも小径の先端ねじ部から成り、上記先端ねじ部は上記挿通孔を貫通して上記ねじ孔に螺合し、上記胴部は上記羽受けと上記伸縮構成板とを回転自在に保持し、上記頭部は上記胴部に保持された上記羽受けと上記伸縮構成板とを、上記支持部品張出部に対し皿ばねとワッシャを介して押圧する、ように構成される。
【００１６】
また、このベランダ用ブラインドにおいて、例えば、２本の上記主支柱それぞれの最上部と最上部との間に差し渡された第１の横支軸と、２本の上記主支柱それぞれの最下部と最下部との間に差し渡された第２の横支軸と、上記最下部の調整機構支持部品よりも下方に在って上記第２の横支軸と並行する最下部可動軸と、２本の上記主支柱それぞれの上記最下部可動軸と上記第２の横支軸との間の所定の位置に固定されたストッパ部材と、を更に有し、２本の上記主支柱は、上記第１の横支軸と上記第２の横支軸により２本の間隔を設定され、上記最下部の調整機構支持部品は、下方に連続する少なくとも固定用ノブと、上記最下部可動軸の軸受けと、該軸受けを支持するブラケットと、該ブラケットの固定ボルトとの係合部を一体に備え、上記ブラケットは、上記ストッパ部材に当接する位置を最下端部の位置とする、ように構成される。
【００１７】
また、このベランダ用ブラインドにおいて、例えば、上記羽は、総数を８枚、長さ１２００ｍｍ、幅２００ｍｍ、厚さ２ｍｍを標準とする、よう構成され、また、例えば、上記最下部の調整機構支持部品を最上部まで移動させたとき、上記伸縮構成板の上下長は２１０ｍｍである、ように構成される。
【発明の効果】
【００１８】
本発明は、十分な目隠し機能と遮光機能と通気性とを備え、ベランダの物干し等の機能も建物の景観も損なうことのないベランダ用ブラインドを提供することを提供することができる。
【図面の簡単な説明】
【００１９】
【図１】本発明の実施例１に係るベランダ用ブラインドの羽を保持する伸縮構成板を下方に引いて限界まで引き伸ばしたときの斜視図である。
【図２】実施例１に係るベランダ用ブラインドの羽を保持する伸縮構成板を上方に折り畳んで限界まで縮めたときの斜視図である。
【図３】(a),(b)はそれぞれ実施例１に係るベランダ用ブラインドの多層階集合住宅における使用例を示す図（その１）である。
【図４】(a),(b)はそれぞれ実施例１に係るベランダ用ブラインドの多層階集合住宅における使用例を示す図（その２）である。
【図５】(a)は図１に丸ｃで囲んで示す部分の拡大図、(b)は(a)を矢印ｅ方向に見た図、(c)はその平面図、(d)は(c)のＡ−Ａ´矢視断面図である。
【図６】(a)は主支柱の最上部の第１の横支軸と最下部の第２の横支軸の近傍の構成を切り出して示す正面図、(b)は(a)を矢印ｆの方向に見た図である。
【図７】(a)は下に副支柱の正面図を関連部材と共に示し、上に正面図のＢ−Ｂ´矢視断面図を示している。(b)は下上ともに(a)の下上の図を矢印ｇの方向に見た図を示している。(c)は下に副支柱固定支持部品の正面図、上にＤ−Ｄ´矢視断面図を示している。(d)は下に長さ調整長ナットの正面図、上にＥ−Ｅ´矢視断面図を示している。
【図８】(a)は伸縮構成板の上部板と中間板の主支柱への取り付け構造を示す図、(b)は下部板の主支柱への取り付け構造を示す図、(c)は(a)のＦ−Ｆ´矢視断面図、(d)は(b)のＧ−Ｇ´矢視断面図、(e)は(a)のＨ−Ｈ´矢視断面である。
【図９】(a)はベランダ用ブラインドの右方を切り欠き、上方の副支柱と下方の第２の横支軸９の部分を切り欠き、更に伸縮構成板の６組の中間板のうち１組の中間板の取り付け部分のみ残し他の取り付け部分を切り欠いて示す図、(b)は(a)のＪ−Ｊ´矢視断面図、(c)は(a)のＫ−Ｋ´矢視断面図である。
【図１０】(a)はベランダ用ブラインドの調整機構の側面図、(b) はその平面図、(c)は(b)のＬ−Ｌ´矢視断面図、(d)は(a)の分解図、(e)は(d)の各部材を左方から見た図である。
【図１１】(a)はベランダ用ブラインドの各伸縮構成板間の連結状態を示す外観図、(b)は(a)のＭ−Ｍ´断面矢視図、(c)は(a)のＮ−Ｎ´断面矢視図である。
【図１２】(a)は羽及び羽支軸の平面図と側面図を中央部を切り欠いて示す図、(b)は羽が主支柱に対して羽受及び羽支軸を介して任意の角度に回動自在な様子を示す図である。
【発明を実施するための形態】
【００２０】
以下、本発明の実施の形態について、図面を参照しながら詳細に説明する。
［実施例１］
【００２１】
図１は、実施例１に係るベランダ用ブラインドの羽を保持する伸縮構成板を下方に引いて限界まで引き伸ばしたときの斜視図である。
【００２２】
図１は、実施例１に係るベランダ用ブラインドの羽を保持する伸縮構成板を上方に折り畳んで限界まで縮めたときの斜視図である。
【００２３】
図１及び図２に示すように、ベランダ用ブラインド（以下、単に「ブラインド」という場合もある）１は、断面が四角型の二本の主支柱２（２ａ、２ｂ）を備えている。
【００２４】
これら主支柱２のそれぞれ最上部には、副支柱３（３ａ、３ｂ）が配設されている。副支柱３の上部にはそれぞれ押圧アジャスタ４（４ａ、４ｂ）が取り付けられている。副支柱３は、上下に大きく伸縮する機能を有し、押圧アジャスタ４は上下に小さく伸縮する機能を有している。
【００２５】
これにより、詳しくは、後図に示すように、副支柱３は、押圧アジャスタ４を介して上階のベランダの床底に突っ張って、ベランダの床と上階のベランダの床底との間に主支柱２を固定するように構成されている。
【００２６】
２本の主支柱２は、それぞれ対向する側面に、その中心軸に沿って縁付き縦溝５（５ａ、５ｂ）が設けられている。なお、斜視図のため、縁付き縦溝５ｂは陰になって見えない。これらの縁付き縦溝５には、詳しくは後述するが、溝内に摺動可能に嵌入する複数の可動ナットが配置されている。
【００２７】
可動ナットは、これも詳しくは後述するが、段付きボルトとそれぞれ一対をなして、調整機構支持部品を支持している。これら複数の調整機構支持部品は、それぞれ羽受けと伸縮構成板６（上部板６ａ、中間板６ｂ、下部板６ｃ）とを支持している。羽受けは、羽支軸を支持し、羽支軸は羽７を羽固定ボルト１０によって支持している。
【００２８】
これらの羽７は、材質としては、軽量で紫外線に強く、かつ風圧で変形しないものとして、例えば、ポリカーボネイト板を用いるのが好ましい。これらの羽７は、本例では、例えば、総数を８枚、長さ１２００ｍｍ、幅２００ｍｍ、厚さ２ｍｍを標準とし、羽支軸及び羽受けと一体に短手方向に任意の傾斜角を形成するよう構成される。
【００２９】
また、主支柱２ａの最上部と主支柱２ｂの最上部との間には第１の横支軸８が差し渡されて固定されている。また、主支柱２ａの最下部と主支柱２ｂの最下部との間には第２の横支軸９が差し渡されている。２本の主支柱２ａ及び２ｂは、第１の横支軸８と第２の横支軸９により主支柱間の間隔を設定されている。
【００３０】
また、最下部の調整機構支持部品、つまり、この最下部の調整機構支持部品に羽受けと羽支軸を介して支持される最下部の羽７よりも下方に在って、第２の横支軸９と並行に最下部可動軸１１が配設されている。最下部可動軸１１は両端をそれぞれ可動ブラケット１２ａ、１２ｂに支持されている。
【００３１】
ただし、可動ブラケット１２ｂは陰になって見えない。本例において、図２に示すように、可動ブラケット１２（１２ａ、１２ｂ）を、つまり最下部可動軸１１を、最上部まで限度いっぱいまで移動させたとき、伸縮構成板６の上下長ｈは２１０ｍｍとなるように構成されている。
【００３２】
この最下部可動軸１１と第２の横支軸９との間の所定の位置において、２本の主支柱２に、それぞれストッパ部材１３（１３ａ、１３ｂ）が固定されて配置されている。ただし、ストッパ部材１３ｂのほうは陰になって見えない。
【００３３】
可動ブラケット１２は、図１に示すように、下に降ろされたとき、ストッパ部材１３にに当接して停止する。この位置は、羽を保持する伸縮構成板を下方の限界位置まで引き伸ばしたときの伸縮構成板が最下端部の位置となる部位である。
【００３４】
図３(a),(b)及び図４(a),(b)は、それぞれブラインド１の多層階集合住宅における使用例を示す図である。図３(a),(b)及び図４(a),(b)は，いずれも羽を保持する伸縮構成板を下方の限界位置まで引き伸ばしたときの羽のさまざまな角度構成を示している。
【００３５】
また、ブラインド１の配設位置は、人が室内１４からベランダ１５に出入りするためのガラス戸１６よりも外部へ１６ｃｍ程度離した位置に配置するのが好ましい。これであると、ブラインド１がベランダ１５の手摺壁１７から内側に十分は離れているので居住区の建物の外観を損なうおそれはない。
【００３６】
また、このブラインド１の配設は、主支柱２の上部にある副支柱３を適宜に延ばし、上階のベランダの床底１８に押圧アジャスタ４を圧接させて、突っ張り棒の要領で、２本の主支柱２を上階のベランダの床底１８とベランダ１５の床１９との間に設置するだけであるので移動・移設が容易である。
【００３７】
この配置において、図３(a)は、全ての羽を角度６０°に設定した状態を示している。この状態で、例えば１５ｍ離れた向かい側の多層階集合住宅から見られた場合の視野は、ほぼ全て羽根に遮られる。
【００３８】
すなわち、ベランダ１５の手摺壁１７の最上部と上階のベランダの床底１８の最前部との間に形成される外部視野通過範囲１９において、手摺壁１７の最上部を通る水平視野２１に並行する視野は全て羽７及び副支柱３によって遮られ、室内１４には入り得ない。
【００３９】
また、上階のベランダの床底１８の最前部とブラインド１の最上部の羽７の上部を結ぶ俯角２１−１と、上階のベランダの床底１８の最前部とブラインド１の最下部の羽７の下部を結ぶ俯角２１−２とで形成される範囲の最上部からの視野は、全て羽７により遮られる。
【００４０】
また、ベランダ１５の手摺壁１７の最上部とブラインド１の最上部の羽７の上部を結ぶ仰角２１−３と、ベランダ１５の手摺壁１７の最上部とブラインド１の最下部の羽７の下部を結ぶ俯角２１−４とで形成される、範囲の上下からの視野も、全て羽７により遮られる。
【００４１】
ただし、ベランダ１５の手摺壁１７の最上部とブラインド１の最下部の羽７の下部を結ぶ俯角２１−４と、同じくガラス戸１６の最下部とを結ぶ俯角２１−５とで形成される範囲の上方からの視野には、ガラス戸１６と室内１４の床に近接する一部１４−１の部分の床と空間が見えるが、この部分はほとんど遮蔽する必要がない部分であり、かえって床からの反射による採光に寄与する部分である。
【００４２】
このように、ガラス戸１６に近接する室内１４の床付近の空間以外は、ほぼ完全に外部からの視線を遮断するが、各々の羽７の間は大きく開いているので、風通しが良く、且つ水平方向に入射する光は羽７の表裏で反射して室内に入り、下方から入射する光は広い間隔のある羽７の間を通ってそのまま天井に向かって室内に入るので採光が遮られることはない。
【００４３】
図３(b)は、室内の天井に目隠しを必要としない場合に羽７の傾きを設定する設定例の１例を示す図である。この羽７の角度設定では、中央部の３枚の羽７の角度を角度６０°に設定したままとし、他の上下の羽７を適宜の角度に設定したものである。
【００４４】
図３(b)に示すように、俯角２１−６〜２１−９で示す上方から見下ろす視野は、ガラス戸１６と室内１４の床に近接する一部１４−１の部分の床と空間が見える以外は全て遮断される。
【００４５】
また、水平線２１−１０〜２１−１１で示す水平方向の視野も全て遮断される。ただし、手摺壁１７の上縁から上に見る視野角ａ及びｂの示す範囲の視野で、室内１４の天井が見えることのみは許容される。
【００４６】
この例の場合も、各々の羽７の間は大きく開いているので、風通しが良く、また、室内には、隣接する羽７と羽７の表裏に反射して入る光や、羽７と羽７の間を通り抜けて入る光があり、良好な採光を確保することができる。
【００４７】
図４(a)は、全ての羽７の角度を任意に設定した状態を示している。ただし、１５ｍ離れた向かい側の多層階集合住宅の平行階、１階上の階、２階上の階から目の高さを１５０ｃｍとして、その目線の目隠しを行うことを目的とした場合の例を示している。
【００４８】
図４(a)には、平行階からの目線を破線の目線２２−０で示し、１階上の階からの目線を一点鎖線の目線２２−１で示し、２階上の階からの目線を二点鎖線の目線２２−２で示している。
【００４９】
図４(a)に示すように、平行階から１５０ｃｍの高さからの目線では、室内１４の内部は目線が羽７により遮断されて全く見えない。また、１階上の階からの上方を見る目線も下方を見る目線も羽７により遮断されて全く見えない。
【００５０】
また、２階上の階から、上階のベランダの床底１８に沿って見下ろす目線は、最上部はガラス戸１６の上部の枠に遮られ、よれより下方を見下ろす目線は、全て羽７により遮られて見えない。
【００５１】
このように、室内１４を外部の目線から完全に遮ることができる。一方、この場合も、各々の羽７の間は大きく開いているので、風通しが良く、外部からブラインド１に照射する光は、隣接する羽７と羽７の表裏で反射して室内に入る光や、羽７と羽７の間を通って室内に入る光があって、採光が遮られることはない。
【００５２】
図４(b)は、採光の大半を室内天井部分に反射させて、平均に明るく目を刺激しない採光を主眼とした各羽７の角度の設定例を示す図である。水平の実線矢印で示す水平目線２３−０は、１５ｍは離れた平行階からの目線を示している。多少の隠し漏れがあっても間隙が小さいので支障はない。
【００５３】
また、俯角を持った実線矢印で示す俯角目線２３−１は、１階又は２階上からの目線を示している。これらの俯角目線２３−１は羽７によって完全に遮られる。そして、最上部の水平角に開いた３枚の羽７には、破線矢印で示すように上方から入射する光２３が反射して室内１４の天井部を照らすので極めて良い採光が得られる。
【００５４】
この例でも、羽７の角度の採りかたは、下４枚の羽７が図４(a)の場合と同様であり、上３枚の羽７が水平で最も羽７と羽７の間が開いているので、より一層風通しが良く、また採光の点でも申し分がない。
【００５５】
このように、本発明のブラインド１は、上横下からの目線をどのような羽７の角度で遮るようにしても、各々の羽７の間を大きく開くことができるので、風通しが良く、採光に支障をきたすことがない。
【００５６】
また、主支柱２の設置位置は、ベランダ１５の出入り口から２０〜４０ｃｍにすることによって、ガラス戸１６の開閉操作領域が確保でき、ベランダ１５の手摺壁１７側の物干し領域も十分に確保することができる。
【００５７】
以上、図１及び図２に示した本発明のブラインド１の使用方法と、特徴ある機能・効果について説明したが、次に、ブラインド１の図１及び図２に示した構成の主支柱２が摺動可能に支持する部材の細部について説明する。
【００５８】
図５(a)は図１に丸ｃで囲んで示す部分の拡大図であり、図５(b)は図５(a)を矢印ｅの方向に見た図、図５(c)はその平面図、図５(d)は図５(c)のＡ−Ａ´矢視断面図である。なお図５(a)〜(d)には図１と同一構成部分には図１と同一の番号を付与して示している。
【００５９】
図５(a)〜(d)に示すように、羽７は、羽支軸２４により図外の位置で図１及び図２に示した羽固定ボルト１０で固定されて支持されている。羽支軸２４は、羽７の変形を防ぎ羽７の回転の軸となる部材であり、羽７の短手方向の中心において羽７を固定すると共に、他方では両端部（図では左端部のみ示している）を、調整機構３０の羽受２５に支持されている。
【００６０】
羽受２５は、縦板部２５ａと横板部２５ｂとが断面が直角になる形態で一体に構成されている。羽支軸２４は、両端部を、それぞれ羽受２５の横板部２５ｂにより、羽軸固定ボルト２６により固定して保持されている。
【００６１】
この羽受２５は、縦板部２５ａを段付ボルト２７に保持されている。段付ボルト２７は最も大きい径の頭部２７ａと、頭部２７ａよりも小径の胴部２７ｂと、胴部２７ｂよりも小径の先端ねじ部２７ｃから成っている。
【００６２】
段付ボルト２７は、頭部２７ａと羽受２５の縦板部２５ａとの間にワッシャ２８を介装されて、胴部２７ｂを羽受２５の縦板部２５ａのボルト孔に挿通されている。
【００６３】
胴部２７ｂには、縦板部２５ａに続いて２枚の皿バネ２９とツバ付ワッシャ３１を介して二枚の伸縮構成板６（中間板６ｂ）の交差部の孔が挿通されている。二枚の伸縮構成板６（中間板６ｂ）の交差部の間にはワッシャ３２が介装されている。上記の調整機構３０と伸縮構成板６とによって本例のベランダ用ブラインドの伸縮機構が構成されている。
【００６４】
ここで、上記の段付ボルト２７を介して、羽受２５、羽支軸２４、及び羽７を支持するとともに調整機構３０と伸縮構成板６（上部板６ａ、中間板６ｂ、及び下部板６ｃ）とで構成される伸縮機構を保持する図１及び図２に示した主支柱２の構成について説明する。
【００６５】
図６(a)は、主支柱２の最上部の第１の横支軸８と最下部の第２の横支軸９の近傍の構成を切り出して示す正面図であり、図６(b)は図６(a)を矢印ｆの方向に見た図である。なお、図６(a),(b)には、図１及び図２に示した構成と同一構成部分には図１及び図２と同一の番号を付与して示している。
【００６６】
ただし、主支柱２（２ａ、２ｂ）に関わる左右の構成は、左右対称で同一の構成であるので、番号に対して左右の別を示す枝符号ａ、ｂの付加を以下全て省略する。また、図６(a),(b)には、図１及び図２に示した２本の主支柱２の右側の主支柱２についてのみ示している。
【００６７】
図６(a),(b)に示すように、主支柱２の上部に設けられた副支柱３は、主支柱２に対し副支柱固定支持部品３３及び副支柱固定支持部品３３と同一長さの、長さ調整長ナット３４により、上下の位置の調整をしたのち固定される。
【００６８】
主支柱２の前面と後面（図６(a)では後面は陰になって見えない）には縁付き縦溝３５が形成されている。上述した主支柱２に対する副支柱３の固定は、縁付き縦溝３５の縁部３５−１を溝の内外から挟みつけている長さ調整長ナット３４と副支柱固定支持部品３３を締付けボルト３６により締付けることによって行われる。
【００６９】
副支柱３の上部に配設されている押圧アジャスタ４は、副支柱３の頭部中央のネジ孔４０に螺合するボルト軸３７の頭部に固定され、固定部には中心から三方に伸びるアジャスタ回転アーム３８が固定して設けられている。また、ボルト軸３７にはアジャスタ締付けナット３９が螺合し、副支柱３の頭部に接して配置されている。
【００７０】
この構成において、図３(a),(b)及び図４(a),(b)に示したブラインド１のベランダ１５における位置の固定は、先ず、上記副支柱３の上下の伸縮により押圧アジャスタ４の上面を上階のベランダの床底１８に当接させ、ブラインド１の上下の全長をベランダ１５の高さに合わせる。
【００７１】
次に、締付けボルト３６により長さ調整長ナット３４と副支柱固定支持部品３３を締付けて副支柱３を主支柱２に固定する。続いて、アジャスタ回転アーム３８を伸び方向に回転させて押圧アジャスタ４を上階のベランダの床底１８に強く押し付けて主支柱２を位置固定する。そして、アジャスタ締付けナット３９でボルト軸３７を副支柱３に固定する。
【００７２】
図１及び図２に示した主支柱２の最上部に掛け渡されている第１の横支軸８は、図６(a),(b)に示すように、端部をブラケット４１により支持されて主支柱２に固定されている。ブラケット４１は、縦板部４１−１と横板部４１−２とが断面が直角になる形態で一体に構成されている。
【００７３】
縦板部４１−１と横板部４１−２の中央部には、木造建築の火打ち梁同様の直角部補強部材４１−３が連設されて、ブラケット４１の直角構成が補強されている。直角部補強部材４１−３の連設部より外側で、ブラケット固定ボルト４２及び４２により、縦板部４１−１が主支柱２に固定され、横板部４１−２が第１の横支軸８に固定されている。
【００７４】
また、主支柱２の最下部に掛け渡されている第２の横支軸９は、これも図６(a),(b)に示すように、端部をブラケット４１により主支柱２に固定されている。この第２の横支軸９を主支柱２に固定するブラケット４１の構成は、上下が逆になるだけで第１の横支軸８の場合と同様であるので細部の説明は省略する。
【００７５】
また、図１及び図２に示したストッパ部材１３は、板状部材から成り、下方の固定ボルト４３で位置決めされた後、上述した副支柱固定支持部品３３の場合とほぼ同様な方法で、上方の締付けボルト４４により主支柱２に固定される。
【００７６】
図７(a)は下に副支柱３の正面図を関連部材と共に示し、上に正面図のＢ−Ｂ´矢視断面図を示している。図７(b)は上下ともに、図７(a)の上下の図を矢印ｇの方向に見た図を示し、上は下のＣ−Ｃ´矢視断面となっている。図７(c)は下に副支柱固定支持部品３３の正面図を示し、そのＤ−Ｄ´矢視断面図を上に示している。図７(d)は下に長さ調整長ナット３４の正面図を示し、そのＥ−Ｅ´矢視断面図を上に示している。
【００７７】
なお、図７(b)には、図７(a)を参照して番号が明らかに分かる構成部分については番号の付与を省略して示しているものもある。図７(a),(b)に示すように、副支柱３は、三方の面に、縁部４５を有する縦溝４６を備えている。
【００７８】
三方の面のうち対向する二面の縦溝４６には、図７(a)に示すように、縁部４５よりも内側に、それぞれ図７(d)に示す長さ調整長ナット３４の張出部３４−１が嵌入し、縁部４５には長さ調整長ナット３４の支持部品係合部３４−２が嵌入している。なお、他の一面の縦溝４６は空き溝である。
【００７９】
図７(d)に示すように、長さ調整長ナット３４は、中心部に、支持部品係合部３４−２と張出部３４−１を貫通するネジ孔４７が形成されている。
【００８０】
この長さ調整長ナット３４と一対一組となる副支柱固定支持部品３３は、図７(c)に示すように左右に張り出す張出縁部３３−１とナット係合部３３−２を備え、中心部には張出縁部３３−１とナット係合部３３−２を貫通するボルト挿通孔４８が形成されている。
【００８１】
副支柱固定支持部品３３は、図７(a),(b)に示すように、図７(c)に示すナット係合部３３−２を、図７(d)に示す長さ調整長ナット３４の支持部品係合部３４−２と対向する形状で縦溝４６の縁部４５に嵌入する。
【００８２】
この状態で、上部の２個の締付けボルト３６をそれぞれ副支柱固定支持部品３３のボルト挿通孔４８に挿通し、更に締付けボルト３６のネジ部の先端を長さ調整長ナット３４のネジ孔４７に螺合させて締め付ける。
【００８３】
これにより、長さ調整長ナット３４の張出部３４−１と副支柱固定支持部品３３の張出縁部３３−１とにより、縦溝４６の縁部４５が強固に挟み込まれて、副支柱固定支持部品３３と長さ調整長ナット３４の上端部に副支柱３が固定される。
【００８４】
なお、特には図示しないが、主支柱２の上部の三面にも、副支柱３と同様の縁部４５を有する縦溝４６が形成されている。その対向する二面の縦溝４６に、長さ調整長ナット３４と副支柱固定支持部品３３の下方の部分が、副支柱３との係合と同様に係合する。
【００８５】
この場合は、締付けボルト３６の締め付けを緩めることにより、主支柱２に対し副支柱３を上下に移動させることができる。そして、上下の位置が設定されたならば、緩めた締付けボルト３６を締め付けて、副支柱３を主支柱２に固定する。
【００８６】
図８(a)は、伸縮構成板６の上部板６ａと中間板６ｂの主支柱２への取り付け構造を示す図であり、図８(b)は下部板６ｃの主支柱２への取り付け構造を示す図、図８(c)は図８(a)のＦ−Ｆ´矢視断面図、図８(d)は図８(b)のＧ−Ｇ´矢視断面図、図８(e)は図８(a)のＨ−Ｈ´矢視断面である。
【００８７】
なお、図８(a),(b)において、中間板６ｂは最上部の１組のみ完全な形で示し、二番目と最下部の中間板６ｂを連結部のみ切り欠いて示し、残りの中間板６ｂは図示を省略している。また、図８(a)〜(e)には図１、図５及び図６に示した構成と同一の構成部分には図１、図５及び図６と同一の番号を付与して示している。
【００８８】
図９(a)は、ベランダ用ブラインド１の右方を切り欠き、上方の副支柱３と下方の第２の横支軸９の部分を切り欠き、更に伸縮構成板６の６組の中間板６ｂ（図１参照）のうち１組の中間板６ｂの取り付け部分のみ残し他の取り付け部分を切り欠いて示す図である。
【００８９】
図９(b)は図９(a)のＩ−Ｉ´矢視断面図、図９(c)は図９(a)のＪ−Ｊ´矢視断面図、図９(d)は図９(a)のＫ−Ｋ´矢視断面図である。なお、図９(a)〜(d)には図１、図５及び図６に示した構成と同一の構成部分には図１、図５及び図６と同一の番号を付与して示している。また、 図９(a)〜(d)には、図８(a)〜(d)を参照して番号が明らかに分かる構成部分については番号の付与を省略して示しているものもある。
【００９０】
本例のベランダ用ブラインド１の図１に示した主支柱２の縁付き縦溝５は、図８(a)〜(d)及び図９(b),(c),(d)に示すように、開口部の両側に縁部５−１を有し、溝内には複数の可動ナット５１（５１−１、５１−２、５１−３）が摺動可能に嵌入している。
【００９１】
可動ナット５１は、配置位置が異なるものについては、異なる枝番号を付与してい示しているが、図８(c),(d)及び図９(b),(c),(d)に示すように、いずれも形状は同一である。また、可動ナット５１は、位置調整時は可動であるが、位置が設定された後は固定ナットして機能する。
【００９２】
この可動ナット５１は、図９(c)に示すように、張出部５２と支持部品係合部５３とが一体に形成され、中心にはネジ孔５４が形成されている。張出部５２は縁付き縦溝５の縁部５−１に溝の内側から当接している。支持部品係合部５３は縁付き縦溝５の縁部５−１と縁部５−１の間に嵌入している。
【００９３】
また、縁付き縦溝５の縁部５−１と縁部５−１の間には、溝の外側から調整機構支持部品５５（５５−１、５５−２、５５−３）のナット係合部５６が嵌入して、その切り口面が、可動ナット５１の支持部品係合部５３の切り口面に対向している。
【００９４】
調整機構支持部品５５は、ナット係合部５６の外部左右に張出縁部５７を備えている。調整機構支持部品５５は、可動ナット５１に対し段付ボルト２７を介して組みつけられ、最上部調整機構支持部品５５−１では張出縁部５７が縁付き縦溝５の縁部５−１に溝の外側から当接している。
【００９５】
中間部調整機構支持部品５５−２では、可動ナットの支持部品係合部５３とナット係合部５６が当接していて、張出縁部５７と縁部５−１の溝の外側には隙間がある。
【００９６】
最下部調整機構支持部品５５−３では、可動ナット５１に対し段付ボルト２７を介して組みつけられる部分と、可動ナット５１に対し締付けボルト６６（図８(b)参照）を介して可動ブラケット１２を組み付ける部分では支持部品係合部５３とナット係合部５６が当接している。
【００９７】
そして、張出縁部５７と縁部５−１の溝の外側には隙間があり、可動ナット５１に対し固定ノブ６１を介して組み付ける部分では固定ノブの締付けで張出縁部５７が縁付き縦溝５の縁部５−１に溝の外側から当接する。
【００９８】
なお、調整機構支持部品５５は、図８(c),(d)及び図９(a)に示すように、配置位置が異なることに対応して枝番号が異なるものは長さが異なるが、図９(b),(c),(d)に示すように、水平断面はいずれもほぼ同一である。また、長さの点を別にすれば、機能的な構成は、図７(c)に示した副支柱固定支持部品３３の機能的な構成と同様である。
【００９９】
ここで、図８(a)、図８(c)、図９(a)の上、及び図９(b)には、全体で１個のみ最上部に配置される最上部調整機構支持部品５５−１を示している。この最上部調整機構支持部品５５−１は、固定ボルト５８と固定ナット５９により、図９(a)に示すように、第１の横支軸８の直下で主支柱２に固定されている。
【０１００】
また、最上部調整機構支持部品５５−１は、段付ボルト２７を介して最上部の羽受２５と、伸縮構成板６のなかの図８(a)に示す逆Ｖ字形に端部を重ね合わせられた２枚の上部板６ａを重ね合わせ部で回動可能に保持している。
【０１０１】
また、図８(c)、図９(a)の中央、及び図９(c)には、全体で中央部に６個配置される中間部調整機構支持部品５５−２を示している。６個の中間部調整機構支持部品５５−２は、それぞれ羽受２５と、伸縮構成板６のなかの図８(a)に示すＸ字形に中央を重ね合わせられた２枚の中間板６ｂを重ね合わせ部で回動可能に保持している。
【０１０２】
また、図８(d)、図９(a)の下、及び図９(c),(d)には、全体で１個のみ最下部に配置される最下部調整機構支持部品５５−３を示している。この最下部調整機構支持部品５５−３は、最下部の羽受２５と、伸縮構成板６のなかの図８(b)に示すＶ字形に端部を重ね合わせられた２枚の下部板６ｃを重ね合わせ部で回動可能に保持している。
【０１０３】
この最下部調整機構支持部品５５−３は、更に、図８(d)及び図９(a)の下に示すように、固定ノブ６１の先端ネジ軸が主支柱２の縁付き縦溝５を介して可動ナット５１−３に螺合すして任意の位置で主支柱２に固定されると共に、可動ブラケット１２を介して最下部可動軸１１の両端を支持している。
【０１０４】
可動ブラケット１２は、図８(b),(d)に示すように、縦板部１２−１と横板部１２−２とが断面が直角になる形態で一体に形成され、縦板部１２−１と横板部１２−２の両側部に、それぞれ木造建築の火打ち梁同様の直角部補強部材１２−３が連設されている。
【０１０５】
可動ブラケット１２は、一方では、横板部１２−２に設けられている固定ボルト６２が、最下部可動軸１１の下面に形成されている縁付き溝６３に嵌合している固定ナット６４に螺合して最下部可動軸１１の両端部を固定して支持している。
【０１０６】
可動ブラケット１２は、他方では、縦板部１２−１に設けられている固定ボルト６５により最下部調整機構支持部品５５−３のネジ孔に螺合して最下部調整機構支持部品５５−３に対して固定される。
【０１０７】
この構成において、最下部調整機構支持部品５５−３に配された固定ノブ６１により可動ナット５１−３を締め付けることにより、最下部可動軸１１とともに、伸縮機構の動きを固定することができる。
【０１０８】
更に、可動ブラケット１２は、縦板部１２−１に設けられている締付けボルト６６が主支柱２の縁付き縦溝５を介して可動ナット５１−３に螺合して、主支柱２に対して固定される。
【０１０９】
本発明のベランダ用ブラインド１の細部にわたる構成は、上述した通りであるが、以下、補足として、主要部の構成を拡大図と分解図を用い、上記の説明との重複を避けて簡略に説明する。また、各図において部品に付与した番号は全て図１乃至図９で用いたものと同一である。
【０１１０】
図１０(a)は調整機構３０の側面図、図１０(b) はその平面図、図１０(c)は図１０(b)のＬ−Ｌ´矢視断面図、図１０(d)は図１０(a)の分解図、図１０(e)は図１０(d)の各部材を左方から見た図である。なお、図１０(c),(d),(e)には、内ワッシャ６７を示している。また、図１０(e)には伸縮構成板６の図示を省略している。
【０１１１】
図１０(a)〜(c)に示すように、２枚の皿バネ２９は、一方では羽受２５をワッシャ２８を介して段付ボルト２７の頭部２７ａへ押し付け付勢して、羽受２５と段付ボルト２７の頭部２７ａとの間に金属摩擦を発生させ、この摩擦力により、羽受２５を介し羽７に対し回動可能な状態で設定角度に停止させる。
【０１１２】
また、２枚の皿バネ２９は、他方ではツバ付ワッシャ３１を介して二枚の伸縮構成板６を、図８(c),(d)及び図９ａにも示したように、調整機構支持部品５５（５５−１、５５−２、５５−３）の外面へ押し付け付勢する。
【０１１３】
これにより、重なる一方の伸縮構成板６（上部板６ａ、中間板６ｂ、下部板６ｃ）とワッシャ３２、及びワッシャ３２と重なる他方の伸縮構成板６との間にそれぞれ摩擦が発生する。この摩擦力により、伸縮構成板６は回動可能な状態で設定された角度に停止する。
【０１１４】
皿バネ２９には、例えば、ＪＩＳ−Ｂ−２７０６に規定される材質がＳ６５〜７０Ｃの炭素鋼、外形１６ｍｍ、内径８．２ｍｍ、厚さ０．６ｍｍ、自由高さ１．０５ｍｍ、全タワミ０．４５ｍｍを用いるものとする。
【０１１５】
この場合、２枚の皿バネ２９を使用し、７５％のタワミ時に約４０Ｋｇｆの荷重となる。３３％のタワミで調整した時では、２枚の皿バネ２９の接触面にかかる荷重が約２５Ｋｇｆとなって十分な摩擦力が得られる。
【０１１６】
このとき、幅２０ｃｍの羽７の隅を手に持って羽７の角度調整する場合、回転軸となる羽支軸２４から１０ｃｍの羽隅を持って回転作業する時に必要な力は、約１Ｋｇｆ程度となり、角度調整操作が容易である。
【０１１７】
図１１(a)は、各伸縮構成板６間の連結状態を示す外観図であり、図１１(b) は図１１(a)のＭ−Ｍ´断面矢視図、図１１(c)は図１１(a)のＮ−Ｎ´断面矢視図である。図１１(a)に示す構成は、図５(a)及び図８(a),(b)に示したものであり、図１１(c)に示す構成は図８(c)の下に示したものである。
【０１１８】
図１１(b)には、上下の伸縮構成板６を連結する連結部の構成を示し、伸縮構成板連結段付きボルト６８、フランジ付きナット６９、外側の伸縮構成板６と内側の伸縮構成板６との間及び内側の伸縮構成板６とフランジ付きナット６９の頭部６９ａとの間に介装されたワッシャ７１を示している。
【０１１９】
この連結部の構成は、逆Ｖ字形の上部板６ａの下端部と最上部のＸ字形の中間板６ｂの上端部との連結、Ｘ字形の中間板６ｂの下端部とこれに続く中間板６ｂの上端部との連結、及び最下部のＸ字形の中間板６ｂの下端部とＶ字形の下部板６ｃの上端部との連結の全てに共通の構成である。伸縮構成板６の各端部は連結部を支点に回動可能に連結されている。
【０１２０】
この構成において、逆Ｖ字形の上部板６ａの長さ、Ｘ字形の中間板６ｂの交差部（中心部）から端部までの長さ、及びＶ字形の下部板６ｃの長さは同一の長さに形成されている。これにより、最下部可動軸１１が主支柱２の縁付き縦溝５に沿つて上下することにより伸縮構成板６が回動して開閉すると、調整機構３０つまり調整機構３０に取り付けた羽７も均等問隔で上下に伸縮する。
【０１２１】
図１２(a)は羽７及び羽支軸２４の平面図と側面図を、中央部を切り欠いて示す図であり、図１２(b)は、羽７が主支柱２に対して、羽受２５及び羽支軸２４を介して任意の角度に回動自在な様子を示す図である。
【０１２２】
なお、図１２(a)には羽支軸２４の両端部の、羽受２５に固定するための図８(c),(d)に示した羽軸固定ボルト２６が挿通されるボルト挿通孔７２を示している。また、図１２(b)には伸縮構成板６の図示を省略している。
【０１２３】
図１２(b)に示す個々の羽７が取付られる調整機構３０の羽受２５は、羽軸固定ボルト２６（図８(c),(d)参照）による固定を解除して羽支軸２４を羽受２５から取り外すことにより羽７の取り外しが可能である。
【０１２４】
これにより、図３(a),(b)又は図４(a),(b)に示したベランダ用ブラインド１の配置において、手摺壁１７の縁近傍の水平方向からの目隠しだけを目的とする場合、例えば、８枚の羽７の内、上方の３枚を取り外して運用する等のことができる。
【０１２５】
以上、説明したように、本発明のベランダ用ブラインドによれば、各羽が個々に手動で角度調整ができる調整機構により目隠しや採光調整が容易であるだけでなく、常に良好な通風性を維持することができる。
【０１２６】
また、主支柱の縦溝に沿って摺動する伸縮構成板の交差部に取付けられる調整機構により等間隔の羽配置ができると共に羽をたたむ位置を任意に設定できる。
【０１２７】
また、主支柱の最上部にある副支柱とアジャスタで形成される突っ張り棒の機能により２本の主支柱を上階のベランダの床底とベランダの床との間に設置するだけであるので移動・移設が容易である。
【０１２８】
また、ベランダに配置するブラインドであるにもかかわらず、ベランダの手摺壁から内側に十分に離れた位置に配置ができるので、居住区の建物の外観を損なうおそれがなく良好に維持できる。
【産業上の利用可能性】
【０１２９】
本発明は、ベランダの縦壁よりもベランダへの出入り口側に配置されて建物の外観を損なわず、目隠しや採光調整が容易で常に良好な通風性を維持できるベランダ用ブラインドに利用することができる。
【符号の説明】
【０１３０】
１  ベランダ用ブラインド（ブラインド）
２（２ａ、２ｂ）  主支柱
３（３ａ、３ｂ）  副支柱
４（４ａ、４ｂ）  押圧アジャスタ
５（５ａ、５ｂ）  縁付き縦溝
５−１  縁部
６  伸縮構成板
６ａ  上部板
６ｂ  中間板
６ｃ  下部板
７  羽
８  第１の横支軸
９  第２の横支軸
１０  羽固定ボルト
１１  最下部可動軸
１２（１２ａ、１２ｂ）  可動ブラケット
１２−１  縦板部
１２−２  横板部
１２−３  直角部補強部材
１３（１３ａ、１３ｂ）  ストッパ部材
１４  室内
１４−１  室外から見えるガラス戸と室内の床に近接する一部の空間
１５  ベランダ
１６  ガラス戸
１７  手摺壁
１８  上階のベランダの床底
１９  外部視野通過範囲
２１  手摺壁の最上部を通る水平視野
２１−１〜２１−２  最上部からの視野範囲を示す俯角
２１−３〜２１−５  最下部からの視野範囲を示す仰角と俯角
２１−６〜２１−７、２１−８〜２１−９  上方からの視野範囲
２１−１０〜２１−１１  水平方向の視野範囲
２２−０  平行階からの目線
２２−１  １階上の階からの目線
２２−２  ２階上の階からの目線
２３  入射光
２３−０  水平目線
２３−１  俯角目線
２４  羽支軸
２５  羽受
２５ａ  縦板部
２５ｂ  横板部
２６  羽軸固定ボルト
２７  段付ボルト
２７ａ  頭部
２７ｂ  胴部
２７ｃ  先端ねじ部
２８  ワッシャ
２９  皿バネ
３０  調整機構
３１  ツバ付ワッシャ
３２  ワッシャ
３３  副支柱固定支持部品
３３−１  張出縁部
３３−２  ナット係合部
３４  長さ調整長ナット
３４−１  張出部
３４−２  支持部品係合部
３５  縁付き縦溝
３５−１  縁部
３６  締付けボルト
３７  ボルト軸
３８  アジャスタ回転アーム
３９  アジャスタ締付けナット
４０  ネジ孔
４１  ブラケット
４１−１  縦板部
４１−２  横板部
４１−３  直角部補強部材
４２  ブラケット固定ボルト
４３  固定ボルト
４４  締付けボルト
４５  縁部
４６  縦溝
４７  ネジ孔
４８  ボルト挿通孔
５１（５１−１、５１−２、５１−３）  可動ナット
５２  張出部
５３  支持部品係合部
５４  ネジ孔
５５  調整機構支持部品
５５−１  最上部調整機構支持部品
５５−２  中間部調整機構支持部品
５５−３  最下部調整機構支持部品
５６  ナット係合部
５７  張出縁部
５８  固定ボルト
５９  固定ナット
６１  固定ノブ
６２  固定ボルト
６３  縁付き溝
６４  固定ナット
６５  固定ボルト
６６  締付けボルト
６７  内ワッシャ
６８  伸縮構成板連結段付きボルト
６９  フランジ付きナット
６９ａ  頭部
７１  ワッシャ
７２  ボルト挿通孔
【図１】
2015175223.tif 000003
【図２】
2015175223.tif 000004
【図３】
2015175223.tif 000005
【図４】
2015175223.tif 000006
【図５】
2015175223.tif 000007
【図６】
2015175223.tif 000008
【図７】
2015175223.tif 000009
【図８】
2015175223.tif 000010
【図９】
2015175223.tif 000011
【図１０】
2015175223.tif 000012
【図１１】
2015175223.tif 000013
【図１２】
2015175223.tif 000014